(57)【特許請求の範囲】
【請求項１】
雨戸框、該雨戸框に配列された複数のスラット及びこれらのスラットを揺動させる揺動機構を設けた雨戸において、施錠時に鍵レバーを鍵本体から取外すことができ、解錠時に鍵レバーが鍵本体に係着される鍵装置を取付けると共に、
前記揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、その回転力が伝達される第２の伝達部材とからなり、
前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けると共に、前記ねじりバーと前記第１の伝達部材間に一方の回転軸を介在させたことを特徴とする雨戸。
【請求項２】
前記ねじりバーにスライド力を付与する操作スライダーの室外側からの操作を妨げる妨害部材を設けたことを特徴とする請求項１に記載の雨戸。
【請求項３】
前記雨戸框を構成する上框の高さ幅の調整が可能な請求項１又は２に記載の雨戸。
【請求項４】
前記雨戸框を構成する上框に、レール溝幅に対応できるスレ止め用部材を取付可能にしたことを特徴とする請求項１乃至３の何れかに記載の雨戸。
【請求項５】
雨戸枠に設けられたレール構造に対応できる戸車装置を取付けたことを特徴とする請求項１乃至４の何れかに記載の雨戸。
【発明の詳細な説明】
【０００１】
【発明の属する技術分野】
この発明は、建物の開口部に設けられる建具としての雨戸に関する。
【０００２】
【従来の技術】
雨戸は、防犯、防雨、防風という機能を果たすもので、雨戸框に雨戸板を張付ける構成であり、木製から鋼製雨戸へと、その材質を変化させつつ、現在に至っている。
【０００３】
【発明が解決しようとする課題】
しかし、雨戸の室内側に配置されている窓の防犯、防雨、防風の機能の向上により、雨戸を使用する機会は、風雨の激しい台風の来襲時等や、長期間に亘って家を不在にする場合等に限られる傾向にあった。
【０００４】
一方、頻繁に使用される場合であっても、雨戸框に雨戸板を張付けるという基本構成故に、通風、換気、採光が犠牲にされていた。
【０００５】
そこで出願人は、第１に、スラットを雨戸の構成要素とすると共に、スラットの揺動機構を取付けて、通風、換気及び採光等の新たな機能を付加した雨戸を提案すると共に、スラットを開放した状態での雨戸の防犯性の機能を向上させること、第２に新設のみならず既設の雨戸枠への雨戸の設置施工を容易にすることを目的とする。
【０００６】
【課題を解決するための手段】
上記課題を解決するため、本願発明の雨戸は、雨戸框、該雨戸框に配列された複数のスラット及びこれらのスラットを揺動させる揺動機構を設けた雨戸において、施錠時に鍵レバーを鍵本体から取外すことができ、解錠時に鍵レバーが鍵本体に係着される鍵装置を取付けると共に、前記揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、その回転力が伝達される第２の伝達部材とからなり、前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けると共に、前記ねじりバーと前記第１の伝達部材間に一方の回転軸を介在させたことを特徴とする雨戸（請求項１に記載の発明）。この発明によれば、施錠時に鍵レバーを鍵本体から取外すことができるので、室外側から鍵装置を操作することができず、防犯性が高まる。
【０００７】
また、前記揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、その回転力が伝達される第２の伝達部材とからなる。この発明によれば、スライド力を付与する装置（例えば後述の操作スライダー）を左右にスライドさせるというスライド運動によって動作するので、スラットの揺動操作の容易性が向上している。
【０００８】
上記発明において、前記ねじりバーにスライド力を付与する操作スライダーの室外側からの操作を妨げる妨害部材を設けることが望ましい（請求項２に記載の発明）。この発明によれば、妨害部材により、室外側から操作スライダーを視認することができず、また操作スライダーを操作し難くすることができ、防犯性が向上する。
【０００９】
上記発明において、前記雨戸框を構成する上框の高さ幅の調整が可能なようにすることが望ましい（請求項３に記載の発明）。また、前記雨戸框を構成する上框に、レール溝幅に対応できるスレ止め用部材を取付可能にすることが望ましい（請求項４に記載の発明）。さらに、雨戸枠に設けられたレール構造に対応できる戸車装置を取付けることが望ましい（請求項５に記載の発明）。
【００１０】
新設の雨戸枠のみならず、既設の雨戸枠に本願の雨戸を設置する場合、上記各発明によれば、予め雨戸枠の高さ、レール溝幅、レール構造等を調査したり、厳格に採寸することなく、現場で調整して雨戸を取付けることができ、設置施工の煩雑さを解消できる。
【００１１】
【発明の実施の形態】
第１実施形態に係る本発明の雨戸について、図面を参照しつつ詳細に説明する。
図１は各スラットが閉鎖状態の雨戸の室外側正面図、図２（イ）〜（ハ）は同室内側正面図、一部分の図示を省略し、且つ、拡大した同雨戸の縦断面及び横断面図である。
なお、上記各図及び後述の各図において、略同一の構成は同一の符号を用いて詳細な説明を省略する。
【００１２】
前記雨戸１は、図１及び図２に示したように、上下框１０，１１、左右竪框１２，１３及び中框１４からなる雨戸框に、スラット２をそれぞれ水平方向に配列し、前記中框１４に後述する第１及び第２揺動機構を操作する操作スライダー１５,１５を臨ませており、それらの操作スライダー１５,１５が、図面上左右方向にスライドされると、前記各スラット２、２、２・・・が揺動し、開閉するようになっている。
この雨戸１の特徴の１つは、仕様が異なる雨戸枠１６への雨戸１の据付け設置の際に、その仕様に対応できる框、戸車構成としたこと、その２は前記下框１１に取付けられた鍵装置８は、施錠時に鍵レバー８０を鍵本体８１から取外すことができること、その３は前記スラット２の開閉を行う第１及び第２揺動機構は、前記操作スライダー１５を左右にスライドさせるというスライド運動によって動作させること、その４は前記操作スライダー１５の室外側からの操作を妨げる妨害部材２Ａを設けたこと等である。
【００１３】
まず、第１の特徴に関連する構成として、前記上框１０は、図３乃至図６に詳細に図示した如く框本体１００と冠部材１０１から構成されている。
前記框本体１００は、上開きコ字状に成形されると共に、その内壁に刻み１００ａを形成し、一方、前記冠部材１０１は下開きコ字状に成形されると共に、その外壁に前記刻み１００ａに対応する刻み１０１ｂを形成している。
これらの刻み１００ａ、１０１ｂは断面略三角状の山と谷により形成したもので、各刻み１００ａ、１０１ｂを擦り合せつつ、高さ調整後にビスＢなどで両部材１００、１０１を緊締すればよい。
これら刻み１００ａ、１０１ｂが重合する範囲で、上框１０の高さ幅を調整でき、雨戸枠１６に対する雨戸１の高さ寸法の調整が容易となっている。
特に、既設の雨戸を本雨戸１に入替える場合に、事前の厳格な採寸を要せずに現場で調整することができる。
【００１４】
前記上框１０の高さ寸法を確定させた後、図４のように各コーナーにコーナーブロック１０２を取付け、また前記下框１１も同様に前記コーナーブロック１０２を取付ける。
このコーナーブロック１０２は、例えば合成樹脂により作られており、雨戸１と雨戸枠１６との「擦れ」を防ぐこともできる。
【００１５】
また、戸当たり１０３も上下框１０、１１の各コーナーに取付けるが、上述のように上框１０の高さ寸法を調整した結果、コーナーブロック１０２と戸当たり１０３に隙間が出来た場合には、その間隙に光止め１０４を埋めこめばよい（図４及び図５参照）。
この光止め１０４は、適宜カッター等でその寸法を調整できるようになっている。
【００１６】
図３等に示したように、前記上框１０にはスレ止め止着用の孔１０５が設けられおり、図６のように前記孔１０５にスレ止め用部材（スレ止め）１０６を取付けることができるようになっている。
このスレ止め１０６については、厚さ寸法が異なる複数種類のものを用意し、これらのスレ止め１０６を適宜組合わせることにより、雨戸枠１６のレール溝と上框１０の「擦れ合い」を防ぐことができる。
例えばスレ止め１０６として、「２」ｍｍのもの、「６」ｍｍのものを用意すれば、「２」ｍｍのものを一個取付け場合から「６」ｍｍのものを２個取付けた場合まで５つの組合わせで、仕様の異なるレール溝に対応させることができる。
【００１７】
前記中框１４の室内側には、凹みにより図２（イ）に示した位置等に手掛け１４Ａを設けている。
【００１８】
次に第１の特徴に関連する戸車装置９について説明する。
この戸車装置９は図７及び図８に示したように、戸車ケース９０と、この戸車ケース９０を回動自在に取付けるケース取付部９１と、前記戸車ケース９０を固定する止着具９２、９３を備えている。そして前記戸車ケース９０には、タイプの異なる２種類の戸車９００、９０１が回転自在に取付けられている。
【００１９】
前記戸車ケース９０は、図９に示したように連結部９０２ａ、９０２ｂを残して切欠かれた下開きコ字状のケース９０２に、前記戸車９００（半平車）、９０１（Ｕ溝車）を軸着させ、ケース９０２から臨ませている。そして前記連結部９０２ａに前記止着具９２、９３用の止着部９０３を設けている。このように構成された戸車ケース９０は、図７等に示したように、その一端が前記ケース取付部９１のＵ字形部９１０を挟みこんで、軸孔９０４に取付けられる軸９０５を介して、前記ケース取付部９１に回転自在に取付けられている。
【００２０】
前記ケース取付部９１は、図１２〜図１４に図示したように、下開きコ字状のケース９１１の略中央に前記Ｕ字形部９１０を形成すると共に、前記戸車９００（半平車）を用いる場合に、他方の戸車９０１（Ｕ溝車）が納められる凹部９１２、前記戸車９０１（Ｕ溝車）を用いる場合に、他方の戸車９００（半平車）との干渉を避ける凹み９１３が形成されている。そして、ケース９１１上面に前記止着具９２、９３用の止着孔９２０、９３０を設け、またケース９１１自体を下框１１に止着するための止着孔９１４を形成している。
【００２１】
上記のように構成された戸車装置９では、図１５に示したように、レールが設けられていない雨戸枠のレール構造の場合には、前記戸車９００（半平車）を用いるため、前記止着具９２を用いて、前記戸車ケース９０を前記ケース取付部９１に固定する。一方、前記戸車９０１（Ｕ溝車）を用いる場合には、前記戸車ケース９０を回転（図面上の反時計回り）させて、前記止着具９３を用いて、前記戸車ケース９０を前記ケース取付部９１に固定すればよい。よって、上記戸車装置を取付けた雨戸１Ｃによれば、予め雨戸枠のレール構造を調べることなく、取付現場でレール構造を見て戸車を選択し、直ちに雨戸を取付けることができるので、取付作業の煩雑さを解消できる。
【００２２】
次に第２の特徴に関連する前記鍵装置８は、図１６に示した分解斜視図のように、鍵レバー８０と鍵本体８１からなり、鍵本体８１は前記鍵レバー８０を収容しつつ、そのレバー８０の回動押下げ、回動押上げにより回動される回動体８２と、この回転体８２に設けられたカム溝８３に係合されるピン８４０が固定された鍵ロッド８４を備えている。
【００２３】
前記鍵レバー８０には凸８００が形成され、一方、鍵レバー８０を挿入する鍵孔８１０には前記凸８００が通過できる切欠き８１１を設けており、鍵レバー８０の挿入ミスを防いでいる。
【００２４】
この鍵装置８の動作例を図１７及び図１８に基づいて説明する。図１７は解錠時の説明図、図１８は施錠時の説明図である。
図１７に示したように、解錠時には前記鍵レバー８０は前記回動体８２を構成する回動本体８２０とカバー８２１を組立てている回転軸８２２及び軸８２３が作る隙間に収容されている。
また鍵レバー８０の係合溝８０１が鍵本体８１の鍵孔８１０に係合されて、鍵孔８１０から抜取ることができないようになっている。
【００２５】
この状態から前記鍵ロッド８４自体を下方に押し下げたり、鍵レバー８０を図面上、時計回りに回転させると、前記回動体８２が回転軸８２２を中心に回転し、前記カム溝８３が前記鍵ロッド８４のピン８４０を押し下げる。
その結果、前記鍵本体８１に設けられた孔８１１、８１２に沿ってロッド８４は下降し、雨戸枠１６の孔（図示せず）に没入される。
鍵レバー８０が略直立すると、前記ピン８４０がカム溝８３のフック先端に入り込み、また前記回動本体８３の先端８３０が板バネ８７の付勢力に抗して、その始端に当接し施錠される。
この時、鍵レバー８０の係合溝８０１が鍵本体８１の鍵孔８１０から開放されるので、前記鍵レバー８０を鍵本体８１から引抜くことができる。
よって、前記鍵レバー８０を他所に保管することにより、室外側から解錠し難くなっており、防犯性を高めることができる。
例えば引抜いた鍵レバー８０は、任意の個所に貼着したフックなどにかけておけばよい。
【００２６】
次に第３の特徴に関連する構成として、揺動機構の構成例を説明する。
この実施形態では、第１及び第２の揺動機構を設けているが、それぞれ略同一の構成であるので、第１の揺動機構を取上げて説明する。
前記第１揺動機構は、図１９及び図２０に示したように、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００２７】
前記操作スライダー１５は、摘み片１５０とスライダー本体１５１からなり、そのスライダー本体１５１が、前記上中框１４Ａに設けられたスライド枠１４２（図１９）に沿って直線的に滑動できるように配置されている。
【００２８】
前記スライダー本体１５１の構成例を、図２１に基づいて説明する。
スライダー本体１５１は、本体部１５１ａと、蓋体部１５１ｂと、本体部１５１ａと蓋体部１５１ｂを組立てるカシメ部１５１ｃからなっており、このカシメ部１５１ｃに前記摘み片１５０が固定されている。前記本体部１５１ａには、２列の孔１５１ｄ、１５１ｄが設けられており、各孔１５１ｄにスプリング１５１ｅ、ボール１５１ｆが嵌めこまれている。前記本体部１５１ａと蓋体部１５１ｂには、ねじり状の孔１５２が設けられているが、この孔１５２に形成されているクリアランスが、前記スプリング１５１ｅにより前記蓋体部１５１ｂに向かって付勢されるボール１５１ｆによって調整されることになり、前記スライダー本体１５１に「ガタツキ」が生じることなく、スムーズにスライドさせることができる。
【００２９】
より詳細に「ガタツキ防止手段」を取付けた理由及び作用を図２２に基づいて説明する。
前記ねじり状の孔１５２をねじりバー３の「ねじれ」にそって忠実に形成すると、操作スライダー１５を操作する際に、「ガタ」が生じる。また全てのねじりバー３に全く同一の「ねじれ」を形成させることは困難である。よって、前記ねじり状の孔１５２にはねじりバー３のためにクリアランス（遊び）が必要になる。この場合に、このクリアランスを調整し、快適なスライド操作を実現するものが「ガタツキ防止手段」である。
【００３０】
図２２に示したように、前記スプリング１５１ｅにより前記蓋体部１５１ｂに向かって付勢されるボール１５１ｆがねじりバー３に当接すると共に、操作スライダー１５のスライドにより回転する。その結果、前記ねじり状の孔１５２に挿入されてねじりバー３に作用するクリアランスＣが、適度に調整されることになり、前記スライダー本体１５１に「ガタ」が生じることなく、スムーズにスライドさせることができる。なお、前記スライダー本体１５１は、スライド枠１４２に沿って直線的に滑動できるような形状であればどのようなものでもよく、前記スイラダー１５の摘み片１５０の形状も同様に、どのようなものでもよい。
【００３１】
前記ねじりバー３は、薄板状の棒材を所定のねじれ角によって変形させたもので、前記操作スライダー１５の滑動方向に応じて、正転或いは逆転するようになっている。前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。例えば、図２３に示したように、前記ねじりバー３の一端３０から他端３１までの長さＬに対し、他端の回転角度は約２１０度のように成形してもよい。同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。また、同じ回転角度において、ねじりバー３の取付長さを調整することにより、スライドバー１５のスライド幅に応じてスラット２の開閉角度を調整することができる。
【００３２】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４２に固定された軸受３３、３３に取付けられている。
【００３３】
前記回転軸３２は、図２０に図示されているように、前記ねじりバー３の端部を固定する固定円柱部３２０と、この固定円柱部３２０より縮径された回転部３２１とからなる。この回転部３２１には、前記第１の伝達部材５の一端を固定する４角孔３２２が形成されている。これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。なお、前記ねじりバー３と第１の伝達部材５間に前記回転軸３２を介在させることにより、ねじりバー３の円滑な回転を図ると共に、ねじれ角の異なるねじりバー３の交換も容易となる。前記回転軸３２の回転部３２１は、前記竪框１３に設けられた孔（図示せず）から、その竪框１３の中空部１３１（図２参照）に突出され、前記第１の伝達部材５の一端５０に連結されている。
【００３４】
前記第１の伝達部材５は、竪框１３の中空部１３１に収容され、図２０等に示したように、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。この第１の伝達部材５は、略小判状に形成されているが、前記一端５０に相当する回転中心部と前記他端５１に相当する回転部を備えていれば、どのような形状でもよい。
【００３５】
前記第１の伝達部材５の他端５１は、前記竪框１３の中空部１３１に沿って配置されているバー部材４の孔４０に空転可能に取付けられている。前記バー部材４は、前記第１の伝達部材５からの回転に同調させて各スラット２を回転させるもので、各スラット２の配置間隔に応じた孔４１が設けられている（図２０参照）。
一方、前記バー部材４の孔４１に対応するように、前記第１の伝達部材５と略同一の形状に成形された第２の伝達部材６の一端６０が、後述のスラットホルダ７を介して前記竪枠１３内に回転可能に配置されている（図２０等参照）。この第２の伝達部材６の他端６１は、前記バー部材４の前記各孔４１に空転可能に配置されており、第２の伝達部材６は、その一端６０を中心にして前記第１の伝達部材５と同調して回転する。
【００３６】
前記スラットホルダ７は、図２０等に示したように、前記竪框１３の中空部１３１内に臨む回転軸７０と、この回転軸７０に同軸的に固定され、且つ、竪框１３の外側面に当接する鍔部７１と、前記スラット２の側面に埋込まれる楔部７２からなっている。
【００３７】
なお、前記スラット２の他端を回転可能に保持するスラットホルダ７Ａ（図１９参照）は、前記竪框１２に取付けられており、前記スラットホルダ７と同様に構成され、その楔部７２が前記スラット２の側面に埋込まれている。
【００３８】
次に、前記スラット２の構成例を説明する。
スラット２は、図２０等に示したように、前記スラットホルダ７の楔部７２を取付ける取付部２０を設けた中空部２１と、この中空部２１の下部から下方に延出された板状部２２からなり、例えばアルミニウム等の金属材料の押出成形によって形成されている。
このスラット２の主な特徴的な点は、スラット２を略水平位置まで回動させた場合、その上部が竪框１２、１３の遮光片１２２、１３２（図２参照）と干渉しないような寸法に形成されていること、前記スラットホルダ７の回転軸７０の位置とスラット２の重心が略一致するように、その形状に工夫を加えたこと、及び前記中空部２１の上部室外側に消音部材２３を取付けたことである。
【００３９】
前記竪框１２、１３に開閉可能なスラット２を取付ける場合、スラット両端に僅かな間隙が形成されてしまい、外部からの光、室内側からの光が漏れることになる。このことは、防犯上好ましくないことから、前記竪框１２、１３には遮光片１２２、１３２が形成されている。この遮光片１２２、１３２と前記スラット上部との干渉を避けるため、スラット２の中空部２１の寸法が、スラット２の回転中心（前記第２の伝達部材６の一端６０、スラットホルダ７の回転軸７０）から遮光片１２２、１３２までの距離に比べ、短くなるように形成した。
【００４０】
この場合に、スラット２の重心が前記板状部２２側に偏ると、スラット２の回転が重くなり、快適な操作性を害するおそれがある。
そこで、前記スラット２の中空部２１の内、前記回転中心から遮光片寄りの部分を肉厚、且つ、若干傾斜状に成型し、その重心が前記板状部２２側に偏らないようにしている。その結果、前記スラットホルダ７の回転軸７０の位置とスラット２の重心が略一致し、操作性が向上している。
【００４１】
前記消音部材２３は、例えば塩化ビニールからなるもので、各スラット２を閉じた際に、上下のスラットが当たるときに発生する音を消音すると共に、雨仕舞の機能も発揮する。
【００４２】
第４の特徴に関連する構成として、図２４に基づき前記妨害部材の構成例を説明する。
この妨害部材は、前記スラット２のうち、前記第２の伝達部材６に連結されず、回動しないスラットにより構成されている。
具体的には、前記中框１４の直上のスラット２Ａを用いて、前記バー部材４の回転力が伝達されないようにすると共に、スラット２Ａの板状部２２の先端を規制部材２４を介して前記中框１４に固定している。
このスラット２Ａにより、室外側から操作スライダー１５０が目隠しされ、また室外側から操作し難いようになっている。
なお、図２（ロ）に示したように、前記下框１１は高さ寸法が幅広に形成されており、その幅広部１１Ａにより、前記鍵装置８を触り難くされており、妨害部材として機能している。
【００４３】
次に、上記のように構成された雨戸１の使用例を説明する。
就寝時等に、図示しない戸袋などから前記スラット２を閉じた雨戸１を引出して、建物の開口を遮蔽し、必要に応じて前記鍵装置８により施錠し、起床後に戸袋に収容する等、通常の雨戸と同様に使用することができる。
また建物の開口を遮蔽した後、前記操作スライダー１５０を操作して、各スラット２を揺動させ、プライバシーの保護をはじめ、通気、採光、断熱を図ることができる。
【００４４】
図２５（ａ）〜（ｄ）に基づいて、スラット２の揺動操作例を説明する。
図２５（ａ）及び（ｂ）は各スラット２が閉じた状態の要部断面図、同図（ｃ）は各スラット２を略４５度に開いた状態の要部断面図、同図（ｄ）は各スラット２を略９０度に開いた状態の要部断面図である。
【００４５】
前記スラット２が図２５（ａ）及び（ｂ）に示した閉鎖状態にあるときは、前記操作スライダー１５は同図に示した右端の位置にある。
この位置から前記操作スライダー１５を図面上、左方向にスライドさせると、そのスライド力は、ねじりバー３、回転軸３２、第１の伝達部材５、バ部材４、第２の伝達部材６、スラットホルダ７を介してスラット２に伝達され、各スラット２が前記操作スライダー１５のスライド幅に応じた角度で開放される。
【００４６】
図２５（ｃ）のように、前記操作スライダー１５を中間位置まで移動させると、前記スラット２が半開され、同図（ｄ）のように、さらに左端まで前記操作スライダー１５をスライドさせると、スラット２が全開となる。この時、前記妨害部材としてのスラット２Ａは開放されない。各スラット２を閉じるときには、前記操作スライダー１５を右側にスライドさせればよい。
【００４７】
以上のような雨戸１によれば、第１に、前記操作スライダー１５を左右にスライドさせることで、各スラット２の開閉を行うので、開閉操作が極めて容易であり、各スラット２を閉鎖して防風、防雨、防寒、防音を図ることができ、開閉角度を調整することによりプライバシーの保護、通気、採光、断熱を図ることができる。
特に、前記各スラット２が図２５(ｃ)のように約４５度に開放されると、断熱、通風及び採光を同時に実現させることができる。
また同図(ｄ)のように約９０度に開放させると、採光性が高まる。
第２に、前記各スラット２が図２５(ｃ)や同図(ｄ)のように開放されていても、前記鍵レバー８０を鍵本体８１から引抜くことにより、室外側からの鍵レバー８０の操作による解錠を防ぐことができ、スラット２を開放したままでも、防犯性に優れている。
第３に、前記各スラット２が図２５(ｃ)や同図(ｄ)のように開放された状態であっても、妨害部材としての前記スラット２Ａにより、前記操作スライダー１５０が室外側から見えずに、かつ、操作し難くなっているので、この点からも防犯性に優れている。
第４に、前記ねじりバー３のねじれ角を小さくすることにより、小さな力でスライドさせることができ、また各スラット２を略９０度の範囲で、好きな角度で固定することができる。この場合、各スラット２の開閉角度を大きくしたいときには、より大きなねじれ角のねじりバーに交換すれば良い。
第５に、ねじりバー３にはねじれ角が存在するので、スラット２を動かしても、操作スライダー１５はスライドし難く、防犯性に優れており、またねじりバー３は、その製造コストを安価に押さえることができる。
第６に、ねじりバー３のねじれ方向を逆転させて（反時計回り）成形することにより、前記操作スライダー１５が図２５（ａ）及び（ｂ）に示した位置にあるときには、前記スラット２を開放状態にすることができる。
第７に、前記左右の竪框１２，１３に遮光片１２０，１３０が形成されているので、この点からもプライバシー保護や防犯性に優れている。
【００４８】
なお、前記回転軸３２の回転方向を直交させる部材を、その回転軸３２と第１の伝達部材５間に介在させることにより、前記操作スライダー１５、前記ねじりバー３及び前記回転軸３２を竪框側に配置することもできる。また、前記実施形態においては、前記雨戸框内の略全面にスラットを配置していたが、雨戸框内の上部、中部或いは下部など、所定の領域に限定し、これらのスラットを揺動させる揺動機構を設けてもよい。また、雨戸框の室内側の端部側に操作スライダー１５０,１５０をまとめて配置してもよい。そうすれば、建物開口の窓ガラス戸を少しあれば操作スライダー１５０を操作することができる。さらに、図２６に示したように、操作スライダー１５０を室内側に臨ませてもよい。
【００４９】
次に、図２７に基づき、第２実施形態について説明する。
この第２実施形態の雨戸１Ａは、前記実施形態がテラスタイプの開口に用いる雨戸１に対し、窓タイプの開口に取り付けることができるものである。
この雨戸１Ａは、１組の揺動機構を組付けたこと、その操作スライダーを雨戸框の下框又は上框に配置したことが異なる点であって、その他の構成は、第１実施形態と同様であるので、同様に作用効果を奏する。
【００５０】
【発明の効果】
請求項１に記載の発明によれば、施錠時に鍵レバーを鍵本体から取外すことができるので、室外側から鍵装置を操作することができず、防犯性が高まる。
【００５１】
また、スライド力を付与する装置（例えば後述の操作スライダー）を左右にスライドさせるというスライド運動によって動作するので、スラットの揺動操作の容易性が向上している。
【００５２】
請求項２に記載の発明によれば、妨害部材により、室外側から操作スライダーを視認することができず、また操作スライダーを操作し難くすることができ、防犯性が向上する。
【００５３】
請求項３乃至５に記載の発明によれば、新設の雨戸枠のみならず、既設の雨戸枠に本願の雨戸を設置する場合、上記各発明によれば、予め雨戸枠の高さ、レール溝幅、レール構造等を調査したり、厳格に採寸することなく、現場で調整して雨戸を取付けることができ、設置施工の煩雑さを解消できる。
【図面の簡単な説明】
【図１】  第１実施形態に係る雨戸の室外側正面図、
【図２】  （イ）同雨戸の室内側正面図、（ロ）雨戸の一部図示を省略した縦断面図、（ハ）同横断面図、
【図３】  雨戸の上框の構成例図、
【図４】  同構成例図、
【図５】  同構成例図、
【図６】  同構成例図、
【図７】  同雨戸の戸車装置の正面図、
【図８】  同側面図、
【図９】  同戸車装置を構成する戸車ケースの正面図、
【図１０】  同底面図、
【図１１】  同側面図、
【図１２】  同戸車装置を構成するケース取付部の正面図、
【図１３】  同平面図、
【図１４】  同側面図、
【図１５】  同戸車装置を作用説明図、
【図１６】  鍵装置の分解斜視図、
【図１７】  鍵装置の動作説明図、
【図１８】  鍵装置の動作説明図
【図１９】  揺動機構の要部断面図、
【図２０】  揺動機構の分解斜視図、
【図２１】  揺動機構の操作スライダーの分解斜視図、
【図２２】  同操作スライダーの動作説明図、
【図２３】  揺動機構のねじりバーの正面図、
【図２４】  妨害部材としのスラットの側面図、
【図２５】  （ａ）〜（ｄ）スラットの動作説明図、
【図２６】  別例に係る操作スライダーの分解斜視図、
【図２７】  第２実施形態に係る雨戸の室外側正面図。
【符号の説明】
１  １Ａ  １Ｂ  雨戸            １０，１１  上下框
１００  框本体                  １００ａ  １０１ｂ  刻み
１０１  冠部材                  １０２  コーナーブロック
１０３  戸当たり                １０４  光止め
１０５  スレ止め止着用の孔      １０６  スレ止め
１２，１３  左右竪框            １２２  １３２  遮光片
１４  中框                      １４Ａ  手掛け
１５  操作スライダー
１４０  室内側凹面              １４１  スライド枠
１５０  摘み片                  １５１  スライダー本体
１５１ａ  本体部                １５１ｂ  蓋体部
１５１ｃ  カシメ部
１５１ｄ  孔                    １５１ｅ
１５１ｆ  ボール
１５２  孔
１６  雨戸枠                    １６０  レール構造
２  スラット                    ２Ａ  スラット（妨害部材）
２０  取付部                    ２１  中空部
２２  板状部                    ２３  消音部材
３  ねじりバー
３０  一端                      ３１  他端
３２  回転軸                    ３３  軸受
３２０  固定円柱部              ３２１  回転部
３２２  ４角孔                  ３２３  段差
４  バー部材
４０  ４１  孔
５  第１の伝達部材              ６  第２の伝達部材
５０  第１の伝達部材の一端      ５１  他端
６０  第２の伝達部材の一端      ６１  他端
７  ７Ａ  スラットホルダ        ７０  回転軸
７１  鍔部                      ７２  楔部
８  鍵装置                      ８０  鍵レバー
８１  鍵本体                    ８２  回動体
８３  カム溝                    ８４  鍵ロッド
８４０  ピン                    ８００  凸
８１０  鍵孔                    ８１１  切欠き
８２０  回動本体                ８２１  カバー
８２２  回転軸                  ８２３  軸
９  戸車装置
９０  戸車ケース                ９１  ケース取付部
９２、９３  止着具              ９００、９０１  戸車
９０２ａ、９０２ｂ  連結部      ９０２  ケース
９０３  止着部                  ９０４  軸孔
９０５  軸
９１０  Ｕ字形部                ９１１  ケース
９１２  凹部                    ９１３  凹み
９１４  止着孔
【図１】
0004095285.tif 000002
【図２】
0004095285.tif 000003
【図３】
0004095285.tif 000004
【図４】
0004095285.tif 000005
【図５】
0004095285.tif 000006
【図６】
0004095285.tif 000007
【図７】
0004095285.tif 000008
【図８】
0004095285.tif 000009
【図９】
0004095285.tif 000010
【図１０】
0004095285.tif 000011
【図１１】
0004095285.tif 000012
【図１２】
0004095285.tif 000013
【図１３】
0004095285.tif 000014
【図１４】
0004095285.tif 000015
【図１５】
0004095285.tif 000016
【図１６】
0004095285.tif 000017
【図１７】
0004095285.tif 000018
【図１８】
0004095285.tif 000019
【図１９】
0004095285.tif 000020
【図２０】
0004095285.tif 000021
【図２１】
0004095285.tif 000022
【図２２】
0004095285.tif 000023
【図２３】
0004095285.tif 000024
【図２４】
0004095285.tif 000025
【図２５】
0004095285.tif 000026
【図２６】
0004095285.tif 000027
【図２７】
0004095285.tif 000028